(57)【要約】【課題】特殊部品を用いることなく、当該部品の取り付けに要する作業工程を増加させずに、いたずらを防止することができる筐体を提供する。【解決手段】筐体８は、下部筐体８Ｂと、下部筐体８Ｂに設けられ、円筒状の雄ネジ部又は雌ネジ部を有する取付部品１の雄ネジ部又は雌ネジ部が差し込まれる取付孔８０と、取付部品１の雄ネジ部又は雌ネジ部に対応する取付ナット５によって取付部品１が下部筐体８Ｂに取り付けられた状態で、取付部品１が下部筐体８Ｂに対して回転するのを防止する回転防止部７とを有する。【選択図】図１
2013008916.tif 000002
【特許請求の範囲】
【請求項１】
筐体本体と、
前記筐体本体に設けられ、一端に雄ネジ部又は雌ネジ部を有する円筒状の取付部品の前記雄ネジ部又は雌ネジ部が差し込まれる取付孔と、
前記取付部品の前記雄ネジ部又は雌ネジ部に対応するネジ部品によって前記取付部品が前記筐体本体に取り付けられた状態で、前記取付部品が前記筐体本体に対して回転するのを防止する回転防止部とを有する筐体。
【請求項２】
前記回転防止部は、前記筐体本体の表面上に設けられた凸部であり、前記凸部の高さにおいて前記取付部品の外形のうち前記取付部品の回転中心から最小の距離より遠ざかった位置であって最大の距離より近づいた位置に設けられる請求項１に記載の筐体。
【請求項３】
前記回転防止部は、前記筐体本体に設けられた凹部の側壁であり、前記凹部の側壁の底からの高さにおいて前記取付部品の外形のうち前記取付部品の回転中心から最小の距離より遠ざかった位置であって最大の距離より近づいた位置に設けられる請求項１に記載の筐体。
【請求項４】
前記取付部品は、一端に前記雄ネジ部又は前記雌ネジ部を有する第１の部品と、前記第１の部品の他端に取り付けられる第２の部品とを有し、
前記回転防止部は、前記取付部品が筐体本体に取り付けられた状態で、前記取付部品の少なくとも前記第２の部品が前記筐体本体に対して回転するのを防止する請求項１〜３のいずれかに記載の筐体。
【発明の詳細な説明】
【技術分野】
【０００１】
本発明は、広くは非専門家による部品の操作を防止することができる筺体に関し、特に、筺体に取り付けた防水機能を有するコードブッシングの取り外しを防止する機能を備えた筺体に関する。
【背景技術】
【０００２】
筐体にケーブルを固定する際であって防水機能が要求される場合には、一般的に、コードブッシングと呼ばれる部品が用いられる。
【０００３】
この部品の一部が筐体外に露出している場合、専門知識のない者又は当該部品の操作に未熟な者（以下、「非専門家」という。）によってコードブッシングのネジが緩められることがあり、コードブッシングの本来の機能が低下、又は最悪の場合にはコードブッシングの取り外しがなされるという問題が生じている（以下、「いたずら」という。）。
【０００４】
この問題を解決する手段として、一般的な工具には対応しない特殊な形状のネジを採用した部品が提案されている（例えば、特許文献１参照）。
【０００５】
この特許文献１に記載された部品は、無線機本体に取り付けられるアンテナの取り外しを防止する部品を固定する部品であって、一般の工具を使用しても取り外せない特殊な形状の頭部を有する。
【先行技術文献】
【特許文献】
【０００６】
【特許文献１】特開２００１−１６８６１９号公報
【発明の概要】
【発明が解決しようとする課題】
【０００７】
しかし、この特許文献１に記載された部品は、一般の工具では取り外せないためいたずらは防止できるが、一般の部品に比べて製造コストが増加し、また、特殊な工具を要するため作業工程が増加するという問題がある。
【０００８】
従って、本発明の目的は、特殊部品を用いることなく、当該部品の取り付けに要する作業工程を増加させずに、いたずらを防止することができる筐体を提供することにある。
【課題を解決するための手段】
【０００９】
本発明の一態様は、上記目的を達成するため、以下の筐体を提供する。
【００１０】
［１］筐体本体と、
前記筐体本体に設けられ、円筒状の雄ネジ部又は雌ネジ部を有する取付部品の前記雄ネジ部又は雌ネジ部が差し込まれる取付孔と、
前記取付部品の前記雄ネジ部又は雌ネジ部に対応するネジ部品によって前記取付部品が前記筐体本体に取り付けられた状態で、前記取付部品が前記筐体本体に対して回転するのを防止する回転防止部とを有する筐体。
【００１１】
［２］前記回転防止部は、前記筐体本体の表面上に設けられた凸部であり、前記凸部の高さにおいて前記取付部品の外形のうち前記取付部品の回転中心から最小の距離より遠ざかった位置であって最大の距離より近づいた位置に設けられる前記［１］に記載の筐体。
【００１２】
［３］前記回転防止部は、前記筐体本体に設けられた凹部の側壁であり、前記凹部の側壁の底からの高さにおいて前記取付部品の外形のうち前記取付部品の回転中心から最小の距離より遠ざかった位置であって最大の距離より近づいた位置に設けられる［１］に記載の筐体。
【００１３】
［４］前記取付部品は、一端に前記雄ネジ部又は前記雌ネジ部を有する第１の部品と、前記第１の部品の他端に取り付けられる第２の部品とを有し、
前記回転防止部は、前記取付部品が筐体本体に取り付けられた状態で、前記取付部品の少なくとも前記第２の部品が前記筐体本体に対して回転するのを防止する前記［１］〜［３］のいずれかに記載の筐体。
【発明の効果】
【００１４】
請求項１、４に係る発明によれば、特殊部品を用いることなく、当該部品の取り付けに要する作業工程を増加させずに、いたずらを防止することができる。
【００１５】
請求項２に係る発明によれば、凸部により回転防止部を形成することができる。
【００１６】
請求項３に係る発明によれば、凹部により回転防止部を形成することができる。
【図面の簡単な説明】
【００１７】
【図１】図１は、本発明の実施の形態に係る筐体の構成の一例を示す概略斜視図である。
【図２】図２は、本発明の実施の形態に係る筐体の構成の一例を示す概略側面図である。
【図３】図３は、本発明の実施の形態に係る筐体の構成の一例を示す上面一部断面図である。
【図４】図４（ａ）〜（ｄ）は、本発明の実施の形態に係る筐体に対して取付部品を取り付ける手順を説明するための概略斜視図である。
【発明を実施するための形態】
【００１８】
（筐体の構成）
以下、本発明の実施の形態を図面に基づいて説明する。
【００１９】
図１は、本発明の実施の形態に係る筐体の構成の一例を示す概略斜視図である。
【００２０】
筐体８は、蓋状の上部筐体８Ａと深さを有する長方形状の下部筐体８Ｂとから構成される。下部筐体８Ｂの対向する側面には、筒状の取付部品１（コードブッシング）が貫通して取り付けられる取付孔（図３参照）８０と、取付部品１のうち少なくとも筐体８の外部に露出している部分が回転しないよう設けられる回転防止部７とが設けられる。
【００２１】
回転防止部７は、取付部品１の側面部の少なくとも一部に接触するように筐体８本体から突出している。取付部品１は内部に防水ゴム（図３参照）２を備えてコード６の外被に密着して取り付けられている。
【００２２】
また、筐体８は、上部筐体８Ａ及び下部筐体８Ｂによって囲まれる閉じた内部空間を有し、当該空間に、例えば、コード６と電気的に接続される部品やコード６の外被を覆う部品等を格納する。なお、筐体８の内部空間に外部から水が侵入しないように、上部筐体８Ａと下部筐体８Ｂとの接触部に図示しない防水用のシーリング等を有する。
【００２３】
図２は、本発明の実施の形態に係る筐体の構成の一例を示す概略側面図である。また、図３は、本発明の実施の形態に係る筐体の構成の一例を示す上面一部断面図である。
【００２４】
取付部品１は、六角ナット形状を有したキャップ１ａと、円筒形状を有してその一端にキャップ１ａに対応したネジ部と他端に取付ナット５に対応したネジ部と中央に六角の頭部（１１ａ、１１ｂ）を備えた本体１ｂと、本体１ｂの内周とコード６の外被との密着性を保持する防水ゴム２と、本体１ｂと下部筐体８Ｂ表面との密着性を保持するパッキン４と、本体１ｂを下部筐体８Ｂに取り付けて固定する取付ナット５とから構成される。
【００２５】
取付部品１のキャップ１ａは、その外形としてキャップ１ａの回転中心から最も遠い側面部１０ａと、キャップ１ａの回転中心から最も近い側面部１１ａとを有する。また、キャップ１ａの内周に本体１ｂの一端のネジ部に対応したネジ部を有する。
【００２６】
また、同様に、本体１ｂの頭部は、その外形として本体１ｂの回転中心から最も遠い側面部１０ｂと、回転中心から最も近い側面部１１ｂとを有する。
【００２７】
下部筐体８Ｂの回転防止部７は、一例として、キャップ１ａを挟みこむように対向して設けられ、回転防止部７の接触面７ａ、７ｂ間の距離は、少なくともキャップ１ａの対向する側面部１０ａ間の距離より小さく、対向する側面部１１ａ間の距離より大きく設定される。
【００２８】
なお、回転防止部７は、少なくとも１つ設けられていればよい。最も好ましくは、回転防止部７の側面部１１ａ及び１１ｂの周りに沿って囲むような形状で設けられるとよい。また、回転防止部７の形状は、板状に限らず、棒状であってもよい。
【００２９】
また、筐体８Ｂの回転防止部７は、本体１ｂの頭部を挟みこむように対向して設けられ、回転防止部７の接触面７ａ、７ｂ間の距離は、少なくとも側面部１０ｂ間の距離より小さく、対向する側面部１１ｂ間の距離より大きく設定されていてもよい。
【００３０】
図４は、本発明の実施の形態に係る筐体８に対して取付部品１を取り付ける手順を説明するための概略斜視図である。
【００３１】
まず、その内周にネジが切られているキャップ１ａ、その一端及び他端の外周にそれぞれネジが切られている本体１ｂ、キャップ１ａと本体１ｂとの間に配置された防水ゴム２及び本体１ｂの他端側に配置されたパッキン４のそれぞれにコード６が挿入される。
【００３２】
次に、本体１ｂの一端とキャップ１ａとが絞めつけられることで防水ゴム２は内径方向に突出するように変形し、防水ゴム２がコード６の外被に密着して固定される。
【００３３】
また、本体１ｂの他端は、コード６とともに下部筐体８Ｂの取付孔８０に挿入され、下部筐体８Ｂの内部側から取付ナット５で絞めつけられる。これにより、本体１ｂはパッキン４により下部筐体８Ｂに密着して固定される。
【００３４】
（実施の形態の効果）
上記した実施の形態によると、取付部品１のキャップ１ａが回転しないように回転防止部７をキャップ１ａの回転半径の最小値より遠くかつ最大値より近くに設けたため、取付部品１を筐体８に取り付けた後は、キャップ１ａ及び本体１ｂが意図せず緩ませられる等のいたずらを防止することができる。
【００３５】
また、回転防止部７は、筐体８に設けられるため、取付部品１として一般市販部品を用いることができる。
【００３６】
また、取付部品１は一般市販品であり、構成部品に特殊な形状を採用していないため、取り付けの際に一般的な工具を用いることができる。
【００３７】
［他の実施の形態］
なお、本発明は、上記実施の形態に限定されず、本発明の趣旨を逸脱しない範囲で種々な変形が可能である。例えば、回転防止部７を下部筐体８Ｂから突出するように設けたが、下部筐体８Ｂの側面に対して凹部を形成して凹部の底面に取付孔８０を形成することで凹部の側面を回転防止部７としてもよい。
【００３８】
また、取付部品１は、キャップ１ａ、防水ゴム２、本体１ｂを一体としたものであってもよい。さらに、コードブッシングは一例であり、ボルト頭部を筐体８の外側に露出するものであれば他の形状を有する部品であってもよい。
【符号の説明】
【００３９】
１     取付部品
１ａ   キャップ
１ｂ   本体
２     防水ゴム
４     パッキン
５     取付ナット
６     コード
７     回転防止部
７ａ、７ｂ    接触面
８     筐体
８Ａ   上部筐体
８Ｂ   下部筐体
１０ａ、１０ｂ、１１ａ、１１ｂ     側面部
８０   取付孔
【図１】
2013008916.tif 000003
【図２】
2013008916.tif 000004
【図３】
2013008916.tif 000005
【図４】
2013008916.tif 000006